Podtech/llm-jp-corpus-v4-ja_patent huggingface dataset:
(57)【要約】      （修正有）【課題】腹壁に装着されたイデイアルボタンに栄養用チユーブの接続又取り外しを安全確実容易に行うための補助プレートを提供する。【解決手段】軽い素材からなるプレートの一辺を折り曲げ、その反対の面にＵ字型切り込み穴を設け、プレートの切り込み穴を腹壁とイデイアルボタンの透き間に差し込み、シャフトに挿入する。【選択図】図４
2013066677.tif 000002
【特許請求の範囲】
【請求項１】
軽い素材からなるプレートの一辺を折り曲げ、その反対の面にＵ字型切り込み穴を設けたことを特徴とする補助プレート。
【発明の詳細な説明】
【技術分野】
【０００１】本発明は、胃に挿入装着したイデイアルボタンに栄養用接続チユーブの接続及び取り外しを安全確実容易にできる胃ろう用栄養チユーブの接続取り外しに関する補助具である。
【背景技術】
【０００２】従来、腹壁に装着されたイデイアルボタンに栄養用チユーブの接続又取り外しは腹壁が柔らかく安定せず難しかった。
【発明の開示】
【発明が解決しようとする課題】
【０００３】そのために、次のような問題点があった。
（イ）腹壁に装着されたイデイアルボタンに栄養チューブを接続するときコネクタリブをイデイアルボタンのリブ溝まで確実に挿入する時上からの力が加わり小さなイデイアルボタン全体が腹の方に沈み又外す時も小さなイデイアルボタンが上に上がり腹壁に悪い影響を与える。
本発明は、これらの問題点を解決するためになされたものである。
【課題を解決するための手段】
【０００４】軽い素材からなるプレートの一辺を折り曲げ、その反対の面にＵ字型切り込み穴を設けた。以上を特徴とする補助プレートである。
【発明の効果】
【０００５】プレートの切り込み穴を腹壁とイデイアルボタンの透き間に差し込みシャフトに挿入する。プレート全体の面で小さなイデイアルボタンを支える事によりチューブを接続する上からの力もプレート全体の面で受ける。腹壁も安定しリブ溝に確実に接続できる。チューブを外す時もイデイアルボタンを軽く指で押さえるだけでプレートと一体となりイデイアルボタンの上下左右の揺れもなく安全に外すことができる。腹壁に負担がかからず安全にチューブの接続、外しができる。
【発明を実施するための最良の形態】
【０００６】以下、本発明の実施の形態について説明する。
（イ）プレートの一辺の端を補強とツマミを兼ねる折り曲げを設ける。
（ロ）折り曲げの反対のプレート中央付近面までイデイアルボタンのシャフト部分が入るＵ字切り込み穴を設ける。
本発明は以上のような構成で、これを使用するときは、プレートの切り込み穴を腹壁とイデイアルボタンの透き間に差し込みシャフトに挿入する。プレート全体の面で小さなイデイアルボタンを支えることによりチューブを接続する上からの力もプレート全体の面で受けることにより腹壁も安定しリブ溝に確実に接続できる。チューブを外すときもイデイアルボタンを軽く指で押さえるだけでプレートと一体となりイデイアルボタンの上下左右の揺れもなく安全に外すことができる。腹壁に負担がかからず安全にチューブの接続、外しができる。
【実施例１】
【０００７】図４に示すように、プレートの切り込み穴を腹壁と、イデイアルボタンの透き間に差し込みシャフトに挿入する。指でイデイアルボタンを軽く押さえるだけでイデイアルボタンが補助プレートと一体となる。シャフトの上下左右の揺れもなく腹壁に負担がかからず安全にチューブの接続及び外ずすことができる。
【図面の簡単な説明】
【０００８】
【図１】本発明の側面図
【図２】本発明の平面図
【図３】本発明の補助プレートをイデイアルボタンに装着した例を示す平面図
【図４】本発明の補助プレートを腹壁とイデイアルボタンの透き間のシヤフトに挿入装着した例を示す側面図
【符号の説明】
【０００９】１  補助プレート
２  Ｕ字型切り込み穴
３  曲げ
【図１】
2013066677.tif 000003
【図２】
2013066677.tif 000004
【図３】
2013066677.tif 000005
【図４】
2013066677.tif 000006
(57)【要約】【課題】回数券を財布や鞄に収納すると、回数券の大きさが前記入れ物に適合しないため中でバラバラになり、定期券入れに収納すると取り出しにくく、回数券を収納、保管して携帯するのが不便だった。本発明は、前記問題点を解決する回数券用ポケット付カードケースを提供する。【解決手段】回数券袋とカードケースを二つ折りのケースに一体化し、ポケットの数を複数に、大きさも複数設け、回数券用ポケットは、収納時に、回数券記載内容全体が見えるよう透明の素材とし、ケースの内側に設けたことを特徴とする回数券用ポケット付カードケース。【選択図】図１
2013066674.tif 000002
【特許請求の範囲】
【請求項１】
矩形のケースの中央で二つ折りとし、折り曲げ自在であり、ケースの外側に透明の表皮で構成するカード用の大ポケットを設け、ケースの内側に透明の表皮で構成する回数券用の小ポケットを設け、小ポケットはケースの縦方向上下に並べ、またケース中央の折り曲げ部に対称に設け、挿入口をケース中央の折り曲げ部方向に向け設けた回数券用ポケット付カードケース。
【発明の詳細な説明】
【技術分野】
【０００１】  本発明は、複数の回数券を記載内容全体が見えるように、種類別に収納する入れ物と、カード入れを一体化した回数券用ポケット付カードケースに関するものである。
【背景技術】
【０００２】  従来、回数券袋とカードケースは、それぞれ単体の入れ物であった。カードケースに回数券用ポケットが付いていても、使用中の回数券一枚のみ収納するものであった。
偏平のケースに、回数券用ポケットと複数のカードを収納するポケットで構成するケースがしられている（特許文献１参照）。
また回数券のみを収納し、切り離し可能な複数のポケットから構成された回数券入れがしられている（特許文献２参照）。
【先行技術文献】
【０００３】
【特許文献１】  特許公開２０００−６０６２３号公報
【特許文献２】  登録実用新案第３１１５２０９号公報
【発明の概要】
【発明が解決しようとする課題】
【０００４】  回数券を財布や鞄に収納すると、回数券の大きさが前記入れ物に適合しないため中でバラバラになった。また、回数券を定期券用カードケースに入れて使用すると、取り出し難かった。鉄道路線駅などに置いてある回数券用袋は、素材が紙で簡易的なため長く使用できなかった。上記のように回数券を収納、保管して携帯するのが不便だった。
本発明は、以上の問題点を解決するものである。
【課題を解決するための手段】
【０００５】  回数券袋とカードケースを二つ折りのケースに一体化し、ポケットの数を複数に、大きさも複数にする。また回数券収納時に、回数券記載内容全体が見えるように、ポケットを透明の素材とし、回数券用ポケットはケースの内側に設置する。
以上の構成からなる回数券用ポケット付カードケースである。
【発明の効果】
【０００６】  従来、回数券を収納、保管して携帯するのが不便とされていたが、本発明により回数券を種類別に見やすく整理収納することができ、多数保管して携帯することが可能になった。
本発明により回数券の挿入と取り出しが容易になり、回数券を収納、保管する時の損傷を防ぎ、ポケットからの落下も防ぐ。
また本発明は、会員証を入れるなど用途によって使い方の組み合わせが、多数できるようになった。
【図面の簡単な説明】
【０００７】
【図１】本発明のケース内側を表した斜視図である。
【図２】本発明のケース外側を表した斜視図である。
【図３】Ａ−Ａ線断面図である。
【図４】本発明使用状態のケース内側を表した斜視図である。
【図５】本発明使用状態のケース外側を表した斜視図である。
【発明を実施するための形態】
【０００８】  以下、本発明の実施の形態を説明する。
（イ）ケース（１）は、矩形とし、ケース（１）の中央の折り曲げ部（６）で二つ折りにし、折り曲げ自在とする。
（ロ）ケース（１）の外側にカード用ポケットの大ポケット（９）を、折り曲げ部（６）に対称に設ける。
（ハ）大ポケット（９）は、台紙（７）に外側表皮（８）を重ね、挿入口を除いて周縁を接合したもので構成する。
（ニ）大ポケットの挿入口（１０）は、折り曲げ部（６）方向に向ける。
（ホ）外側表皮（８）の素材は、透明なビニール又はプラスチックとする。
（ヘ）ケース（１）の内側に回数券用ポケットの小ポケット（３）を、折り曲げ部（６）に対称に設ける。
（ト）小ポケット（３）は、台紙（７）に内側表皮（２）を重ね、挿入口を除いて周縁を接合したもので構成するポケットの中央にポケット仕切り部（４）を設け、台紙（７）の縦方向上下に並べたもので構成する。
（チ）小ポケット（３）の深さは、台紙（７）の横方向の半分程度とする。
（リ）小ポケットの挿入口（５）は、折り曲げ部（６）方向に向ける。
（ヌ）内側表皮（２）の素材は、透明なビニール又はプラスチックとする。
（ル）内側ポケットについては、折り曲げ部（６）を中心とする一方に小ポケット（３）を台紙（７）の縦方向上下に並べて設け、他方に大ポケット（９）を設けることも可能である。
本発明は以上のような構造である。
本発明を使用するときは、大ポケット（９）は、定期券や会員証やカード類を入れて使用する。小ポケットの（３）は、回数券や切符類を入れて使用する。また小ポケット（３）は複数有するため、使用中の回数券や切符を別に収納することができる。小ポケット（３）の複数で透明な構造をいかし、種類別に整理収納し、保管して携帯することができる。小ポケット（３）が、ケース（１）の内側に設けてあるので、回数券や切符の損傷を防ぎ、ポケットからの落下も防ぐことができる。
【符号の説明】
【０００９】  １  ケース
２  内側表皮
３  小ポケット
４  小ポケット仕切部
５  小ポケット挿入口
６  折り曲げ部
７  台紙
８  外側表皮
９  大ポケット
１０  大ポケット挿入口
１１  回数券
１２  カード
【図１】
2013066674.tif 000003
【図２】
2013066674.tif 000004
【図３】
2013066674.tif 000005
【図４】
2013066674.tif 000006
【図５】
2013066674.tif 000007
(57)【要約】【課題】６種の硬貨が混在する小銭入れの中から目的の硬貨を取り出すのは不便であり、時間がかかる。【解決手段】６種の硬貨を一目してわかるように平板１の右に１００円、１０円、１円硬貨を収納し、左に５００円、５０円、５円硬貨を収納する穴を設ける。穴の深さは硬貨４枚の厚さとし、それぞれの穴は平板の外側の一部を図１のように欠いておく。欠くことで取り出しが容易になる。欠いた部分は硬貨の直径より相当短いので左右に傾いても硬貨が脱落しない。財布に収納した時は硬貨が脱落するのでカバー２を設ける。カバー２保持のため磁石を用いる。上記の構成における小銭入れを使用すれば支払い分の小銭を容易に取り出すことができる。レジの時間短縮、硬貨の流動性を高められる。【選択図】図１
2013066691.tif 000002
【特許請求の範囲】
【請求項１】
１円硬貨、５円硬貨、１０円硬貨、５０円硬貨、１００円硬貨、５００円硬貨の６種類の硬貨を収納する円形状の穴を平板に設け、穴の一部を欠いて脱落を防止しするとともに硬貨を取り出しやすくした小銭入れ。
【発明の詳細な説明】
【技術分野】
【０００１】小銭入れについて出し入れ収納に関する。
【背景技術】
【０００２】従来の小銭入れに６種の硬貨を別々に収納する物もあるが、形状が大きく片面に収容しきれず裏表の両面に収納している。
【先行技術文献】
【特許文献】
【０００３】
【特許文献１】特開２０１０−２６６８７０
【発明の概要】
【発明が解決しようとする課題】
【０００４】先行技術文献の小銭入れは支払うとき６種の硬貨が一目で見ることができない、また形状が大きく取扱いが不便である。
【課題を解決するための手段】
【０００５】上記課題を解決するための小銭入れを考察する。
形状を小さくするため１円、１０円、１００円硬貨は４枚重ねて収納しできるようし、５円、５０円、５００円硬貨についても１枚から４枚まで収納できるようにする。
そのため平板にそれぞれ６種の硬貨に合った穴を設けるとともに、それぞれの穴の一部を欠いて取り出しを容易にし且つ、硬貨が容易に脱落しないようにする。
【発明の効果】
【０００６】この小銭入れを手にしたときに一見して６種の硬貨の位置を把握でき容易に取り出すことができる。
【図面の簡単な説明】
【０００７】
【図１】空の状態の小銭入れの全体図
【図２】硬貨を収納した小銭入れの全体図
【発明を実施するための形態】
【０００８】図１により形態を説明する。
樹脂製あるいはアルミ板等の平板１に６種の硬貨を収納する穴３から穴８を左右に３個ずつ設ける。穴３は１００円硬貨、穴４は１０円硬貨、穴５は１円硬貨、穴６は５００円硬貨、穴７は５０円硬貨、穴８は５円硬貨を収納するためのものである。
これらの穴は図１のように平板１を狭くして一部が欠けた状態になるようにする。
穴３から穴８の径は収納する硬貨より少し大きめにする。
１円、１０円、１００円硬貨を収納する穴は４枚分の深さとする。５円、５０円、５００円硬貨を収納する穴は１枚分とするが、４枚分の深さまで可能である。
【０００９】このままで財布等に収納すると硬貨が脱落するからカバー２を設ける。カバー２を固い材質の物で作製する場合はヒンジを用い、柔らかい材質皮革等を使用した時は折れ筋をつけておく。
カバー２を閉めた時に保持するために鉄片９をカバー２に、磁石１０を平板１に設ける。
【符号の説明】
【００１０】  １  ６種の硬貨を収納する平板
２  硬貨脱落防止のためのカバー
３  １００円硬貨収納のための穴
４  １０円硬貨収納のための穴
５  １円硬貨収納のための穴
６  ５００円硬貨収納のための穴
７  ５０円硬貨収納のための穴
８  ５円硬貨収納のための穴
９  カバー閉保持の磁石に対する鉄片
１０  カバー閉保持の磁石
【図１】
2013066691.tif 000003
【図２】
2013066691.tif 000004
(57)【要約】      （修正有）【課題】歯の内側を含め、まんべんなく磨くことができ、これにより汚れやかすが除去でき、その結果、歯垢が残りにくくなる歯ブラシを提供する。【解決手段】歯ブラシの毛の部分に近い柄の部分である第１折曲げ部３を、毛が付いている部分とは反対側に浅くＶ字に折り曲げ、さらに、折り曲げた個所から柄の末端側に適度な距離の個所である第２折曲げ部４を、今度は毛の付いている側に逆Ｖ字に前の個所と同程度の角度で浅く折り曲げ戻した。【選択図】図１
2013066690.tif 000002
【特許請求の範囲】
【請求項１】
歯ブラシの毛の部分に近い柄の部分を、毛が付いている部分とは反対側にＶ字に折り曲げ、さらに折り曲げた個所から柄の末端側に適度な距離の個所を今度は毛の付いている側に逆Ｖ字に前の個所と同程度の角度で折り曲げ戻した歯ブラシ。
【発明の詳細な説明】
【技術分野】
【０００１】  本発明は、歯を磨くための歯ブラシの柄に関する。
【背景技術】
【００２】  従来、歯を磨く場合は、電動歯ブラシを除いて、ほとんど直線的な柄、あるいは浅く湾曲させた柄の先にブラシを取り付けているものが一般的であった。
それによると、口の奥・内側の歯、特に上下・左右ともに第４歯、第５歯、第６歯の付け根あたりにブラシが当たりにくく、そのため磨き残しが生ずることが多く、汚れやかすが付着して歯垢がたまりやすくなり、これが歯周病の一因となることがあった。【０００３】  このような問題に対処するものとして、歯ブラシの柄に浅い湾曲を付けたものやＶ字状に曲げたもの或いはブラシの柄の中ほどをバネ状にして上下に少し可動させるものがあったが、これらによっても必ずしも第４歯、第５歯、第６歯のあたりを十分に磨くことができなかった。
【先行技術文献】
【０００４】
【特許文献】
【特許文献】特開２００６−２３９３３１号公報
【発明の概要】
【発明が解決しようとする課題】
【０００５】  本発明の目的は、ブラシの柄に段差を付けることにより特に歯の内側を磨く際、前歯など他の歯に接触しなくなり、これにより、歯の内側においてもまんべんなくブラシが当たるため、汚れやかすが除去される結果、歯垢が残りにくくなる歯ブラシを提供することにある。
【課題を解決するための手段】
【０００６】  本発明に係る歯ブラシは、ブラシの毛の部分に近い柄の部分を、毛が付いている部分とは反対側に浅くＶ字に折り曲げ、さらに折り曲げた個所から柄の末端側に適度な距離の個所を今度は毛の付いている側に逆Ｖ字に前の個所と同程度の角度で浅く折り曲げ戻して形成する。
【発明の効果】
【０００７】  本発明によれば、ブラシの柄に段差を付けることにより特に歯の内側を磨く際、前歯など他の歯に接触しないため、まんべんなくブラシが当たることになり、汚れやかすが除去される結果、歯垢が残りにくくなる歯ブラシが提供される。
【図面の簡単な説明】
【０００８】
【図１】本発明による歯ブラシの基本的な構成を説明するための斜視図である。
【図２】本発明による歯ブラシの形状を説明するための側面図である。
【符号の説明】１はブラシ部、２は柄の部、３は第１折曲げ部、４は第２折曲げ部
【図１】
2013066690.tif 000003
【図２】
2013066690.tif 000004
(57)【要約】【課題】従来の回転型ゴルフスイング練習機では、インパクト時のクラブフェース角度の良否およびクラブヘッド軌道の良否の判断が難く、またインパクト後の飛球感覚がない。さらに打撃用ボールがレールの傾斜を利用して打撃位置に戻るものは今までなかった。これはインパクト後打撃用ボール付回転体が回転するだけであったためである。【解決手段】人工芝付支持台にレールの傾斜角度および高さ調節可能な支持具を設け、その支持具に着脱可能で伸縮可能なレールを取り付け、そのレールに設置される摺動部に打撃部を接続具で吊りさげ、柔軟に曲がるティーペグを人工芝付支持台に着脱可能なもので構成した。  これにより、インパクト時のクラブフェース角度の良否、クフブヘッド軌道の良否の判断を容易にでき、またインパクト後の飛球感覚を得ることができ、打撃部も打撃位置まで戻り反復練習可能となり練習効果が向上する。【選択図】図１
2013066689.tif 000002
【特許請求の範囲】
【請求項１】
人工芝付支持台にレールの傾斜角度および高さ調節可能な支持具を設け、その支持具に着脱可能で伸縮可能なレールを取り付け、そのレールに設置される摺動部に打撃部を接続具で吊りさげ、柔軟に曲がるティーペグを人工芝付支持台に着脱可能としたゴルフスイング練習機である。
【発明の詳細な説明】
【技術分野】
【０００１】  本発明は、ゴルフスイング練習機に関するものである。
【背景技術】
【０００２】  従来の回転型ゴルフスイング練習機では、インパクト後打撃用ボール付回転体（以降打撃回転体）が回転するだけでインパクト時のクラブフェース角度の良否およびクラブヘッド軌道の良否の判断は難しかった。【０００３】  そのため従来の回転型ゴルフスイング練習機では、クラブフェース角度がスクェアなショットや飛球が目標方向となるクラブヘッド軌道のショット（以降ストレートショット）をするための練習効果としては薄く、またインパクト後打撃用ボールが目標方向に動かないため飛球感覚がなく、さらに打撃用ボールがレールの傾斜を利用して打撃位置に戻るものはなかった。
【発明の開示】
【発明が解決しようとする課題】
【０００４】  本発明は従来のゴルフスイング練習機の欠点を排除するため、従来判断が困難であったインパクト時のクラブフェース角度の良否、クラブヘッド軌道の良否の判断を容易にし、また飛球感覚を得るためにインパクト後に打撃物が目標方向前方に動き、さらに打撃物が打撃位置に戻り反復練習ができることである。
【課題を解決するための手段】
【０００５】  本発明は上記課題を解決するために人工芝付支持台にレールの傾斜角度および高さ調節可能な支持具を設け、その支持具に着脱可能で伸縮可能なレールを取り付け、そのレールに設置される摺動部に打撃部を接続具で吊りさげ、柔軟に曲がるティーペグを人工芝付支持台に着脱可能としたゴルフスイング練習機である。【０００６】  上記課題解決手段による作用は次の通りである。【０００７】  インパクト直後、ストレートショットの場合打撃部はレールに当たりレール末端まで進むが、目標方向側のレール末端を打撃位置側のレールの高さより上方にすることでレールに傾斜がつき打撃部が自重で打撃位置まで戻ってくる。【０００８】  しかし、ストレートショットで無い場合打撃部はレールの中心付近には当たらず、その結果レール末端まで進まず揺動するためクラブフェースの良否やクラブヘッド軌道の良否の判断を容易にすることができる。またインパクト後打撃部が目標方向前方に動くため飛球感覚を得ることができ、さらにレールの傾斜によって打撃部が自重で打撃位置まで戻ることができる。
【発明の効果】
【０００９】  上述したように本発明はインパクト直後の打撃部の挙動によりクラブフェースの良否やクラブヘッド軌道の良否の判断を容易にすることができ、ストレートショットをするための練習効果を向上させることができる。【００１０】  さらに従来のゴルフスイング練習機ではインパクト後打撃回転体は回転していたが、インパクト後打撃部が目標方向前方に動くことにより飛球感覚がつかめ、また打撃部がレールの傾斜により自重で打撃位置まで戻ってくるため反復練習可能となり練習効果をさらに向上させることができる。
【発明を実施するための最良の形態】
【００１１】  以下、本発明の実施形態を図に基づいて説明する。【００１２】  図１において、人工芝付支持台７に設けられたレール傾斜角度および高さ調節可能な支持具６に着脱可能で伸縮可能なレール４を取り付け、そのレール４に設置される摺動部３に打撃部１を長さ調節可能な接続具２で吊りさげられたもの（以降、摺動部３、接続具２および打撃部１との一体を摺動打撃部）がショット後摺動や揺動可能とし、また着脱式ティーペグ８を人工芝付支持台７に着脱可能としたゴルフスイング練習機である。【００１３】  以下、上記の動作を説明する。まず打撃部１の高さを高さ調節可能な支持具６や長さ調節可能な接続具２で調整し、レール４の目標方向側の末端をレール４の打撃位置側より上方にしレールに傾斜をつけ、摺動部３を摺動部ストッパー９で止め、ティーアップした際のショット感覚を得るショット練習を行う場合は着脱式ティーペグ８を設置し、ティーアップしないショット練習を行う場合は着脱式ティーペグ８を取り外して行う。【００１４】  ストレートショットの場合は、インパクト直後に打撃部１がまずレール４に当たり摺動打撃部がレール４に沿って摺動しレール末端まで到達後レールの傾斜により自重で再び打撃位置まで戻ってくる。【００１５】  この摺動打撃部がこのような挙動を示した場合、クラブフェース角度がスクウェアで飛球が目標方向となるクラブヘッドの軌道であったと判断ができる。【００１６】  しかし、ストレートショットで無かった場合は、インパクト直後に打撃部１は目標方向に飛動しないため、打撃部１はレール４の中心付近から外れた位置に飛動し摺動打撃部はレール末端まで到達せず間もなくあるいはすぐに揺動した状態となり、レールの傾斜により自重で再び打撃位置まで戻ってくる場合や揺動の程度が激しい場合はレール４に絡んで停止する状態となる。【００１７】  この摺動打撃部がこのような挙動を示した場合、クラブフェース角度がスクウェアで無かった、あるいは飛球が目標方向とずれたクラブヘッド軌道であったと判断ができる。【００１８】  また、インパクト直後に摺動打撃部がレール４に沿って目標方項前方に動く場合には飛球感覚がつかめ、また摺動打撃部がレールの傾斜により自重で打撃位置まで戻ってくることにより反復練習可能となる。以上のように、本実施形態によればゴルフスイングの練習効果を向上させることができるものである。【００１９】  図１はレール４を伸ばし、着脱式ティーペグ８を設置した状態の図である。また図３はレール４を縮め、着脱式ティーペグ８を取り外した状態の図である。
【図面の簡単な説明】
【００２０】
【図１】  本発明の斜視図である。
【図２】  本発明の正面図である。
【図３】  本発明の斜視図である。
【符号の説明】
【００２１】  １  打撃部
２  接続具
３  摺動部
４  レール
５  レール取付け具
６  支持具
７  人工芝付支持台
８  着脱式ティーペグ
９  摺動部ストッパー
【図１】
2013066689.tif 000003
【図２】
2013066689.tif 000004
【図３】
2013066689.tif 000005
(57)【要約】      （修正有）【課題】みじん切り調理するとき、電動の調理器具を用意したり、使用後洗ったりするのは面倒である。また材料が少量のときやニンニク、玉ねぎのようにの臭いや刺激があるもののみじん切りは困難である。【解決手段】みじん切りの材料をまな板の上に置き、その上に底が開口されたカッターをかぶせ、取っ手d付きカッターを上下動させることによって、材料に触ることなくみじん切りにできるもので、臭いや刺激を防ぐことができる。また、カットした材料が容器内に飛び散らないよう、カッター刃cの上のカットした材料を潰さない位の高さの位置に、円形状の板を取り付け固定し、作業しないときの安全性を考慮し、カッター刃cを本体の奥に収納するため、円筒形容器本体aのカッターを上下させる穴と円形板の間にバネfを取り付ける。カッターの取っ手dから手を離すと、バネfの力によって本体上部へカッター刃cを収納することができる。【選択図】図１
2013066688.tif 000002
【特許請求の範囲】
【請求項１】
野菜等をみじん切りにするもので、みじん切りの対象物をまな板の上に置いたままにして、その上に円筒形の容器の内側にカッターが内蔵され、底の部分が開口された本体をかぶせ、その円筒形容器本体の上部に組み込んだ先端にみじん切りにする十字型の刃が付いているカッターの取っ手を持ち上下することで、まな板の上に置かれた野菜をみじん切りにすることができる、みじん切り対象物をまな板の上に置いたまま容器をかぶせてみじん切りにすることを特徴とするみじん切りカッター。
【請求項２】
野菜等をみじん切りにするカッターで、請求項１記載のカッターは上下動させる取っ手の先端にカッターの刃を十字型に取り付けるとき、カッターの刃と刃が交差する部分の下端から上端にむかって斜めに翼をつけることにより、カットした物が刃から剥がれやすくすることを特徴とするみじん切りカッター。
【請求項３】
野菜等をみじん切りするカッターで、請求項２記載のカッターは、請求項１の円筒形の本体に取り付けるとき、カッターの刃の上部に、みじん切りした物が飛び散らないよう円形状の板を取り付け固定し、その円形状板と円筒形の本体の上部の内側をバネで繋ぎカッターの取っ手を上下動させるとき、押える力を抜くとバネの力でカッターの刃が上に上がり、円筒形本体の上部に収納されるのを特徴とするみじん切りカッター。
【発明の詳細な説明】
【技術分野】
【０００１】本考案は、野菜等のみじん切りをするのに、大がかりな道具を用意することなく簡単にみじん切りができ簡単に後始末できるよう、また収納も簡単にできるよう考案した。
【背景技術】
【０００２】本考案は、バネの収縮する力を利用したものである。
【先行技術文献】
【特許文献】
【０００３】
【特許文献１】２００３−８９０９４号
【発明の概要】
【発明が解決しようとする課題】
【０００４】みじん切り調理するとき、電動の調理器具を用意したり、使用後洗ったりするのはたいへん面倒である。また材料が少量のときやニンニクのように臭いが手に付くとこまるもの、玉ねぎのように刺激があるもののみじん切りはたいへん困難である。
【課題を解決するための手段】
【０００５】本考案は、みじん切りの調理をするとき、材料をまな板の上に置いたままにして、その上に円筒形の底の部分が開口された本カッターをかぶせ、その円筒形容器に組み込んだ取っ手付きカッターを上下動させることによって、材料に触ることなくみじん切りにできるもので、臭いや刺激を防ぐことができる。また、カットした材料が容器内に飛び散らないよう、カッター刃の上のカットした材料を潰さない位の高さの位置に、円形状の板を取り付け固定する。そして、作業しないときの安全性を考慮し、カッター刃を本体の奥に収納するため、円筒形容器本体の上部中央、カッターを上下させる穴と円形板の間にバネを取り付ける。すると、カッターの取っ手から手を離すと、バネの力によって本体上部へカッター刃を収納することができる。みじん切りにした材料は、まな板から直接鍋やボール等に移すことによって手間なく調理することができる。
【発明の効果】
【０００６】本考案は、みじん切りの調理をするとき、材料をまな板の上に置いたままにして、その上に本カッターをかぶせることにより、臭いや刺激を防ぐことができるので、手に臭いが付くのを気にしなくてもよくなるし、刺激によって涙をながすこともなくなる。そして、後片付けが簡単にできる。
【発明を実施するための最良の形態】
【０００７】円筒形の本体は、まな板の上に置いた材料を見えやすくするため、透明なものがよい。
【図面の簡単な説明】
【０００８】
【図１】１、全体図  ２、みじん切りするためカッターをまな板の位置まで押した図  ３、みじん切りカッターの取っ手を放すとバネの力によって刃が本体奥へ収納された図
【図面の符号の説明】
【０００９】ａ    円筒形本体
ｂ    本体開口部（まな板面）
ｃ    カッターの刃
ｄ    カッターの取っ手
ｅ    飛び散り防止板
ｆ    バネ
ｇ    取っ手を押したとき本体との間の指挟み防止
Ｈ    カッターの高さ
【図１】
2013066688.tif 000003
(57)【要約】      （修正有）【課題】密封装着したビニール袋等を瞬時に取り外せる器具を提供する。【解決手段】円筒状容器の底部と、底板の間に、ドーナツ型空間を設けて一体化させ、消火器等を容器に嵌め込み、そのままの状態で上からビニール袋等を被せ、底部のドーナツ型空間に余ったビニール袋の端を収納し、ガイドアームを利用して、ゴムバンドで止る。【選択図】図２
2013066682.tif 000002
【特許請求の範囲】
【請求項１】
密封装着したビニール袋等を瞬時に取り外せる器具。
【発明の詳細な説明】
【技術分野】
【０００１】本発明は、消火器等に密封装着してあるビニールカバーを瞬時に取り外せる器具に関する。
【背景技術】
【０００２】従来消火器を、湿気や水分ゴミ埃油等から、汚れたり錆びたりしないように密封保護するため、ビニール袋等で消火器本体を覆い包むようにして被せ、消火器の上部又は底部に紐等で結び止めて設置していたので、いざ火災が発生し緊急使用を要する場合は、消火器本体を一旦持ち上げて、底部の紐を解いたりして、ビニール袋等を消火器本体より取り外す手間や面倒がかかり、大変危険を伴う不便があった。
【発明が解決しようとする課題】
【０００３】本発明は、ビニール袋を消火器の上から被せ、その袋が消火器全体を覆うようにして包み込み密封状態にすると同時に、緊急使用を要するためワンタッチで瞬時に取り外せることが必要となる。
【発明を解決するための手段】
【０００４】本発明は上記課題を達成させるため図示するようにプラスチック製円筒状容器図１−１に消火器の底部を嵌め込み図２−１２、円筒状容器の下部と底板図１−２との間に円筒状容器の直径よりやや小さな円筒状の支柱図１−３を設けて、円周に凹み（ドーナツ型空間）図１−４を作り、底板の円周外側に、ガイドアーム図１−９の突起型止め具図１−１０及び１０Ａに合う位置に、２箇所の孔を設けておき、この箇所にガイドアーム部品本体を嵌め、これらを一体化させて完成とする。
【発明の実施の形態１】
【０００５】本発明の実施の形態が図２及び至図３に示されている。
ビニールカバー装着の際は、消火器の底部を円筒状容器に嵌めた状態図２−１２で、そのままビニール袋等を消火器の上から被せて容器の底部まで降ろし、余ったビニールの先端部を支柱に設けられた凹み空間部分（ドーナツ型空間）図１−４に収納する。
この後、予め設けられた底板円周外側の溝、及び底板部に取り付け設置したガイドアーム円周外側の溝図１−５は一体化しており、前もって紐を通したゴムバンド又は輪ゴムを溝に嵌めておき図１−６、凹み空間部分に収納したビニール袋を正確に固定密封するためには、ゴムバンドを容器の上方に掛ける部品であるガイドアームを一旦持ち上げ図３−１４、そのままの状態で紐図１−７を摘んでゴムバンドを引っ張り上げ図３−１５て、上から下に降ろし、支柱部図１−３の円周に、被せ終わったビニール袋の上から固定させて完成する図２−１３。
上記形態のまま所定場所に設置しておき、万一火災等で緊急使用の際や機器点検実施の際はビニール袋の上部を指で摘んでそのまま上へ引き上げれば、ゴムバンド又は輪ゴムからするりと抜けて図３−１６、瞬時且つ簡単に取り外すことができる。
【発明の効果】
【０００６】本発明によれば、消火器の汚れや錆を防止でき、器具の性能を維持し、寿命を延ばせ、且つ素早く使用できると共に、子供達等の悪戯や事故等による暴発人身事故を防ぐ効果も発揮できる。
【図面の簡単な説明】
【０００７】
【図１】本発明の斜視図である。
【図２】本発明の実施図である。
【図３】本発明の実施図である。
【符号の説明】
【０００８】    １：円筒状容器の斜視図
２：底板の斜視図
３：支柱の斜視図
４：円筒状容器と底部の間の凹み隙間の図
５：底板円周に設けた溝の斜視図
６：底板部の円周の溝に嵌めたゴムバンドの斜視図
７：ゴムバンドに付けた紐の斜視図
８：底板部に設けたガイドアームの斜視図
９：ガイドアームの斜視図
１０：底板部に設置するための凸型止め具
１０Ａ：底板部に設置するための凸型止め具
１１：ゴムバンドを設置するための溝
１２：円筒状容器に消火器を嵌めた様子の斜視図実施の形態図
１３：消火器にビニール袋等を装着完了した様子の斜視図
１４：ガイドアームを引き上げている様子の斜視図
１５：紐を使ってゴムバンドを引っ張り上げている様子の斜視図
１６：使用の際、ビニール袋等を摘んで取り外している様子の斜視図
【図１】
2013066682.tif 000003
【図２】
2013066682.tif 000004
【図３】
2013066682.tif 000005
(57)【要約】【課題】おだんごヘアーを作るとき、ヘアゴムやヘアピンを使わずに、おだんごヘアーが作りやすいように、針金入りリボンに切込みを設けた、おだんごヘアーが作れる針金入りリボンを提供する。【解決手段】針金（１）入りリボン（２）の中心に切込み（３）を設け、切込みの入った針金入りリボンを特徴とする。【選択図】図２
2013066686.tif 000002
【特許請求の範囲】
【請求項１】
針金（１）入りリボン（２）に切込み（３）を設けたおだんごヘアーが作れる針金入りリボン
【発明の詳細な説明】
【技術の分野】
【０００１】この発明は、針金入りリボンの中心に切込みを設け、おだんごヘアーを作れるようにしたヘアリボンに関するものである。
【背景技術】
【０００２】従来、おだんごヘアーを作るには、ヘアゴム、ヘアピン、リボン等別々になった道具を用いなくてはならなかった。
【発明の概要】
【発明が解決しようとする課題】
【０００３】従来の道具では髪をまとめ上げ、ヘアゴムで結び、おだんごヘアーの形を整えてヘアピンでとめ、リボンを付け髪を飾っていたため、おだんごヘアーを作る工程が多く、時間がかかっていた。
本発明は、以上のような欠点をなくすためになされたものである。
【発明を解決するための手段】
【０００４】針金（１）入りリボン（２）の中心に切込み（３）を設ける。
本発明は、以上の構成よりなる切込みの入った針金入りリボンである。
【発明の効果】
【０００５】髪の毛を束ねるヘアゴムと、おだんごヘアーを止めるヘアピンと、おだんごヘアーを飾るリボンの役割を、この針金入りリボン一つで補えるため、髪を結ぶ手間と、ヘアピンで止める手間と、リボンで飾る手間が省ける。ヘアゴム、ヘアピンがなくてもおだんごヘアーができるのである。
【図面の簡単な説明】
【０００６】
【図１】本発明の平面図である。
【図２】本発明の断面図である。
【発明を実施するための形態】
【０００７】以下、本発明を実施するための形態について説明する。
針金（１）入りリボン（２）の中心部に、切込み（３）を設ける。
本発明は以上のような構造である。
これを使用するときは、切込みに髪の毛を通し、リボンの両端を持ちくるくると巻き上げ、両端を合わせてねじり、おだんごヘアーを作る。
【符号の説明】
【０００８】１  針金
２  リボン
３  切込み
【図１】
2013066686.tif 000003
【図２】
2013066686.tif 000004
(57)【要約】【課題】オセロゲーム（登録商標以下同じ）に似たゲーム方法でありながら、より奥の深いゲームを楽しめる駒挟みゲーム用の駒を提供する。【解決手段】オセロゲームの駒に、先手面にのみ記号や絵、キャラクターなどの所定のマークを記載した駒と、後手面にのみ記号や絵、キャラクターなどの所定のマークを記載した駒を数個加えた。その駒をひっくりかえしてしまったプレイヤーを敗者にすることにより、オセロゲームには、なかった駆け引きやドキドキ感を味わうことができるようにした。【選択図】図２
2013066684.tif 000002
【特許請求の範囲】
【請求項１】
複数個の先手面及び後手面の片面に所定のマークを形成したことを特徴とする駒挟みゲーム用の駒
【請求項２】
上記所定のマークが、文字、数字、記号、図形、色彩の少なくとも１つ以上で構成されていることを特徴とする請求項１記載の駒挟みゲーム用の駒
【請求項３】
先手面と後手面に異なった所定のマークを形成したことを特徴とする請求項１又は２に記載の駒挟みゲーム用の駒
【請求項４】
先手マーク駒を１〜５個、後手マーク駒を１〜５個加えたことを特徴とする請求項１〜３のいずれかに記載の駒挟みゲーム用の駒
【発明の詳細な説明】
【技術分野】
【０００１】本発明は駒挟みゲーム盤セットに係わり、特にオセロゲーム（登録商標以下同じ）のような駒挟みゲーム盤セットの駒に関するものである。
【背景技術】
【０００２】表裏を黒と白にした円盤状の駒を挟んでひっくり返すオセロゲームは広く知られている。また、このオセロゲームの駒にいろいろ記載し、オセロゲームをしながら、又はその駒単独で独自のゲームをしながら、いろいろな知識、力をつけることができるものもある（例えば、特許文献１参照）。
【先行技術文献】
【特許文献】
【０００３】
【特許文献１】登録実用新案第３１１９４７１号
【発明の概要】
【発明が解決しようとする課題】
【０００４】本発明はオセロゲームに似たゲーム方法でありながら、より奥の深いゲームを楽しめる駒挟みゲームに用いる駒を提供することを目的とする。
【課題を解決するための手段】
【０００５】本発明はオセロゲームと同様に、格子状の駒の載置部が上面に形成された駒置き基台と表裏が先手面と後手面に類別された所要数の駒を用いるが、先手面にのみ所定のマークを形成した駒と、後手面にのみ所定のマークを形成した駒とを数個使用する。【０００６】遊び方はオセロゲームと同様に相手の駒を挟んでひっくり返すのであるが、先手のプレイヤーと後手のプレイヤーはそれぞれ数個ずつ、先手のプレイヤーは後手面に、後手のプレイヤーは先手面に、所定のマークが形成された駒を所有する。所定のマークが形成された駒は、自分の番のいつでもおくことができるが、所定のマークが形成された駒を置くときには、相手に気づかれないようにし、また、所定のマークが形成された面を下にして置くようにする。ゲームが進み、所定のマークが形成された駒をひっくり返してしまった方を敗者とする。
【発明の効果】
【０００７】これにより、従来のオセロゲームには、なかった駆け引きやドキドキ感を味わうことができた。また、弱者が強者に勝つことも可能になったため、何度でも対戦したくなるゲームになった。
【図面の簡単な説明】
【０００８】
【図１】本発明の実施形態の一例を示す台盤の構成図である。
【図２】本発明の実施形態の一例を示す駒の構成図である。
【図３】本発明の遊び方を説明するための説明図である。
【図４】本発明のゲーム途中の様子を説明するための説明図である。
【発明を実施するための形態】
【０００９】以下、本発明の実施形態について図面に基づいて説明する。
【００１０】図１は、ゲームに使用する台盤を上面から示したものである。台盤には図１に示すように駒の載置部１を格子状に設ける。図１では、分かりやすいように載置部１は、オセロゲームと同様に８×８のマス目としたが、８×８のマス目でなくてもよい。台盤の材質には、木、紙、プラスチックなど様々な材質が考えられる。
【００１１】図２は、駒を示したものである。図２（ａ）は、表裏が先手面と後手面に類別された駒を示したものである。ここでは、分かりやすいように先手面を黒色、後手面を白色にして表示した。類別の方法としては、色の他に絵や模様なども考えられる。駒の大きさは図１の台盤の駒置き部に収まる大きさとする。図２（ｂ）は、図２（ａ）の先手面に黒駒面の所定のマーク２を示したものである。なお、前記所定のマーク２は、他に記号や絵、キャラクターなどが考えられる。図２（ｃ）は、図２（ａ）の後手面に白駒面の所定のマーク３を示したものである。なお、前記所定のマーク３は、他に記号や絵、キャラクターなどが考えられる。図２（ｂ）、図２（ｃ）はそれぞれ数個。図２（ａ）は、図２（ｂ）、図２（ｃ）の数を除いた駒の載置数が必要数である。
【００１２】図３は、ゲーム開始時の様子を上面から示したものである。
【００１３】図４は、ゲーム途中の様子を上面から示したものである。
【実施例】
【００１４】次に遊び方の例を説明する。【００１５】まず、図３のように格子状の載置部の中央４マスに先手面を上にした図２（ａ）の駒２個と後手面を上にした図２（ａ）の駒２個を対角に置く。先手のプレイヤーは、後手面に所定のマークのついた図２（ｃ）の駒と図２（ａ）の駒を所要数保有する。後手のプレイヤーは、先手面に所定のマークのついた図２（ｂ）の駒と図２（ａ）の駒を所要数保有する。【００１６】先手のプレイヤーは、後手面を上にした駒を先手面を上にした駒で挟める位置に先手面を上にしての新しく駒を置く。このとき、挟んだ後手の駒はすべてひっくり返して、先手面を上向きにする。挟み方は、縦、横、斜めのすべての方向が可能である。また、新しく置く駒は、図２（ａ）の駒もしくは、図２（ｃ）の駒であり、置く際には、それが図２（ａ）の駒であるか、図２（ｃ）の駒であるかを後手のプレイヤーに気づかれないようにする。【００１７】続いて後手のプレイヤーは、先手面を上にした駒を後手面を上にした駒で挟める位置に後手面を上にしての新しく駒を置く。このとき、挟んだ先手の駒はひっくり返して、後手面を上向きにする。挟み方は、縦、横、斜めのすべての方向が可能である。また、新しく置く駒は、図２（ａ）の駒もしくは、図２（ｂ）の駒であり、置く際には、それが図２（ａ）の駒であるか、図２（ｂ）の駒であるかを先手のプレイヤーに気づかれないようにする。【００１８】以降、どちらかが所定のマークついた図２（ｂ）の駒、もしくは図２（ｃ）の駒をひっくり返すまで、先手のプレイヤーと後手のプレイヤーが駒置きを繰り返す。【００１９】どちらかが所定のマークついた図２（ｂ）の駒、もしくは図２（ｃ）の駒をひっくり返したら、ゲームは終了し、ひっくり返してしまったプレイヤーを敗者とする。【００２０】また、どちらのプレイヤーも所定のマークついた図２（ｂ）の駒、もしくは図２（ｃ）の駒をひっくり返さず、駒の載置部がすべて埋まった場合もゲームは終了し、その場合は、先手面が上になった駒と後手面が上になった駒の数を数え、数の多い方を勝者とする。
【符号の説明】
【００２１】１  駒の載置部
２  先手面の所定のマーク
３  後手面の所定のマーク
【図１】
2013066684.tif 000003
【図２】
2013066684.tif 000004
【図３】
2013066684.tif 000005
【図４】
2013066684.tif 000006
(57)【要約】【課題】加齢や不摂生に伴う弛んだ頬を引き上げ、リンパの流れ改善を意図する美顔装置は既に多くの商品が開発され、器械的刺激や微少電流を流す既存製品が在るが、ローラー電極の幅が広く、対向電極が近くに無く顔筋を選択且つ局所的に顔筋の繊維方向を狙い収縮刺激を与えその上リンパ管を辿って流れを改善する美顔装置はない。【解決手段】顔筋方向に沿って電気パルスと筋組成の吸収赤外波長パルス光で交互に収縮刺激と緩和刺激は顔筋局所選択刺激目的の正と負対向電極の構成は、局所的に強い収縮と弛緩を起こし、多数回の収縮と弛緩刺激は脳に記銘され自立的緊張神経指令を促して弛んだ頬を引き上げ、また同様に局所刺激に拠る局所収縮と弛緩移動のポンプ作用も脳に記銘されて、リンパ管を辿って流れを改善する。【選択図】  図３
2013066597.tif 000002
【特許請求の範囲】
【請求項１】
顔筋方向に沿って電気パルスで収縮刺激を与える装置で、顔筋局所選択強刺激のため対向電極を近距離におき、電極間距離は約１０ミリメーターで構成し、ローラー電極幅は約１０ミリメータ以下の正と負電極からなり弛んだ頬を引き上げ、リンパ管を辿って流れを改善することを特徴とするフェイスシェイプアップパルスローラー。
【請求項２】
顔筋方向に沿って電気パルスと筋組成ミオグロビンがヘモグロビンに比較吸収優位赤外波長パルス光で交互に収縮刺激と緩和刺激与える装置で、収縮と弛緩刺激で弛んだ頬を引き上げ、リンパ管を辿って流れを改善することを特徴とする請求項１に記載のフェイスシェイプアップパルスローラー。
【請求項３】
顔面皮膚の乾燥度あるいは潤い度に拠る表面電気抵抗の違いを考慮して、電圧調整機能を有する高電圧出力電気パルスローラーの電源は圧電トランスの高インピ−ダンス出力から成り、高インピ−ダンス源で定電流特性を持たせたことを特徴とする請求項１又は請求項２に記載のフェイスシェイプアップパルスローラー。
【発明の詳細な説明】
【技術分野】
【０００１】
加齢や不摂生に伴う弛んだ頬を引き上げ、リンパ管を辿って流れを改善する美顔装置に関する。
【背景技術】
【０００２】
加齢や不摂生に伴う弛んだ頬を引き上げ、リンパの流れ改善を意図する美顔装置は既に多くの商品が開発され、器械的刺激や微少電流を流す既存製品が在るが、ローラー電極の幅が広く、対向電極が近くに無く顔筋を選択且つ局所的に顔筋の繊維方向を狙い収縮刺激を与えその上リンパ管を辿って流れを改善する美顔装置はない。
【先行技術文献】
【特許文献】
【０００３】
【特許文献１】特開２００７−２３６６９９号公報
【発明の概要】
【発明が解決しようとする課題】
【０００４】
伸びきり、頬垂れを起こした顔筋を選択的に顔筋繊維方向に狙い辿り連続移動しながら強い局所収縮刺激を与え、顔のシェイプアップを意図し、同様に鬱滞したリンパ管を辿って流れを改善し、小顔化する美顔装置である。
【課題を解決するための手段】
【０００５】
顔筋方向に沿って電気パルスと筋組成のミオグロビンがヘモグロビンに比較吸収優位赤外波長パルス光で交互に収縮刺激と緩和刺激与える装置で、顔筋局所選択刺激の目的で正と負対向電極から成り、弛んだ頬を引き上げ、局所刺激に拠る局所収縮と弛緩の移動のポンプ作用によりリンパ管を辿って流れを改善する装置である。
【０００６】
顔面皮膚の乾燥度あるいは潤い度に拠る表面電気抵抗の違いを考慮して、電圧調整機能を有する高電圧出力電気パルスローラーの電源は圧電トランスの高インピ−ダンス出力から成り、高インピ−ダンス源で定電流特性と小型化を意図した装置。
【発明の効果】
【０００７】
顔筋方向に沿って電気パルスと筋組成の吸収赤外波長パルス光で交互に収縮刺激と緩和刺激は顔筋局所選択刺激目的の正と負対向電極の構成は、局所的に強い弛緩を起こし、多数回の収縮と弛緩の刺激は脳に記銘され自立的緊張神経指令で弛んだ頬を引き上げ、また同様に局所刺激に拠る局所収縮と弛緩の移動のポンプ作用も脳に記銘されて、リンパ管を辿って流れを改善する。
【図面の簡単な説明】
【０００８】
【図１】電気赤外パルスローラー刺激シークエンス図
【図２】フェイスシェイプアップパルスローラー試作構造写真
【図３】顔筋方向及びリンパ管の流れ図
【発明を実施するための形態】
【０００９】
以下、本発明の実施形態として１実施例を図１から図３に基づいて説明する。
【実施例】
【００１０】
図１は、本発明の実施形態に係るフェイスシェイプアップパルスローラー電気赤外パルスローラー刺激シークエンスのブロック図である。顔筋方向に沿って電気パルスによる筋収縮と赤外光パルスによる緩和刺激は、局所的に強い収縮と弛緩を起こし、多数回の収縮と弛緩刺激は脳に記銘され自立的緊張神経指令で弛んだ頬を引き上げ、また同様に局所刺激に拠る局所収縮と弛緩移動のポンプ作用も脳に記銘されて、リンパ管を辿って流れを改善する。
【００１１】
図２は、フェイスシェイプアップパルスローラー試作構造写真説明図で顔筋方向に沿って電気パルスで収縮刺激を与える装置で、顔面皮膚の乾燥度あるいは潤い度に拠る表面電気抵抗の違いを考慮して、１０ヘルツオンオフ変調された高周波トオーンバースト信号を圧電トランスに負荷し昇圧後整流して高電圧出力電気パルスを得る。圧電トランスの高インピ−ダンス出力源で定電流特性を持たせた装置である。顔筋局所選択強刺激のため対向電極を近距離におき、電極間距離は約１０ミリメーターで構成し、パルスローラー電極幅は約１０ミリメータ以下、パルスローラー外径は８ミリメータの円形又は６角柱形状の正電極３と負電極４からなり、弛緩刺激は赤外線ＬＥＤ５で構成し、弛んだ頬を引き上げ、リンパ管を辿って流れを改善する。
【００１２】
図３は、顔筋方向及びリンパ管７の流れとフェイスシェイプアップパルスローラー１の施術模式図において、ローラーをリンパ管７の末端から辿りながら移動させ、リンパ液の流れを強制排流する。
【符号の説明】
【００１３】
１  フェイスシェイプアップパルスローラー本体
２  電圧調節器
３  パルスローラー正電極
４  パルスローター負電極
５  赤外線ＬＥＤ
６  ハンドル部
７  リンパ管
【図１】
2013066597.tif 000003
【図２】
2013066597.tif 000004
【図３】
2013066597.tif 000005
(57)【要約】      （修正有）【課題】３Ｄ対応してないテレビモニターに対し、３Ｄ映像を表示する。【解決手段】三次元映像（サイドバイサイド二画面映像）を一画面に集約し、重複した部分に色別付き、偏光式メガネで左右それぞれ見えるものの視力差を利用した立体映像を表示できる手段である。三次元（３Ｄ）映像変換、表示機能を付いてないテレビなどのモニターを対象とする出力物体に、左右二画面のサイドバイサイド三次元映像（３Ｄ映像）を左目用と右目用のフレームを一画面に合成し、重複部分を偏光原理に基づいて、三次元立体度に対し専用ソフトによりリアルに計算を行い、一定の重複度に合成、色別に付き、計算した偏光度のあるメガネにより、重複した映像を左右の目にそれぞれ見える部分を分け、三次元映像（３Ｄ映像）に表現できる映像合成装置と専用偏光式メガネを用いた３Ｄ変換システムである。【選択図】図２
2013066138.tif 000002
【特許請求の範囲】
【請求項１】
三次元（３Ｄ）映像変換、表示機能を付いてないテレビなどのモニターを対象とする出力物体に、左右二画面のサイドバイサイド三次元映像（３Ｄ映像）を左目用と右目用のフレームを一画面に合成し、重複部分を偏光原理に基づいて、三次元立体度に対し専用ソフトによりリアルに計算を行い、一定の重複度に合成、色別に付き、計算した偏光度のあるメガネにより、重複した映像を左右の目にそれぞれ見える部分を分け、三次元映像（３Ｄ映像）に表現できる映像合成装置と専用偏光式メガネを用いた３Ｄ変換システムである。
【発明の詳細な説明】
【技術分野】
【０００１】  この発明は、三次元映像信号を表示に対応してないテレビなどのモニターに対し、今広く使われているサイドバイサイドの２画面左右映像を一画面にし、合成した重複の映像に計算した度に左目用と右目用の色別にし、偏光式２色のメガネにより、一つの三次元立体画面に見えるようにした技術分野である。
【背景技術】
【０００２】  この種の映像信号変更装置としては、二次元映像を三次元映像変換して三次元表示、三次元映像を三次元のまま表示するものがある。
【先行技術文献】
【特許文献】
【０００３】
【特許文献１】特開平９−１０７５６２号公報
【特許文献２】特許公開２０１１−１７６３９７号公報
【特許文献３】特開平７−２２６９５８号公報
【特許文献４】特許公開２００６−１２１５５３
【発明の概要】
【発明が解決しようとする課題】
【０００４】しかしながら、三次元対応テレビ（以下３Ｄテレビ）などが普及とはまだ言えない状況、地デジ対応の需要が終わったばかりである、３Ｄテレビにすぐ買い替えには、３Ｄコンテンツの不足なども現状がある中、克服課題はまだ沢山ある。
【課題を解決するための手段】
【０００５】そこで、上記課題を解決するために、この映像合成装置システムは、独立した物体により、安易に色々なモニターに接続し、三次元体験をでき、２Ｄ／３Ｄ、３Ｄ／３Ｄに合成表示により、たくさん存在している通常テレビ（３Ｄ変換機能を付いてない）モニターを安易に三次元、３Ｄ映像を観賞体験することができる。
【発明の効果】
【０００６】この発明により、専用３Ｄ対応モニターを必要にしなく、三次元３Ｄ立体映像を観賞できる。少ない３Ｄコンテンツ市場でも簡単接続と簡単操作により、安易に３Ｄ体験を参加し、３Ｄコンテンツの促進、一層便利に使える一体化した３Ｄテレビの普及促進にもつながります。
【図面の簡単な説明】
【０００７】
【図１】本発明システムは、３部分構成され、Ａ部分は、コンテンツ部分、再生されまたは受信されたコンテンツをＢに出力、Ｂ部分は本発明の内容または心臓部分、映像合成装置、変換された映像を出力し、Ｃのテレビモニターに接続表示、専用偏光式メガネを使って３Ｄ映像を見れる。
【図２】本発明の原理、左右二つフレーム画面を一画面に合成し、偏光式メガネの使用で３Ｄ映像に見える。
【発明を実施するための形態】
【０００８】図１のように受信体のあるレコーダーなどと接続し、受信された映像をリアルに合成を表示する、普通３Ｄ対応してないモニターに接続し、合成された一画面の映像を偏光式メガネにより立体映像を表現できる。
【産業上の利用可能性】
【０００９】図１の受信体部分が、今のＣＳ（スカパー放送）、ＣＡＴＶ（ケーブルテレビ）、ひかりＴＶなど受信チューナーをご利用している視聴者には、この３Ｄ合成変換装置の使用が最適環境である。今まで放映されている３Ｄ番組もこの装置の装備により今までわずか一部３Ｄテレビをお持ちの家庭から視聴者全世帯を３Ｄ番組を視聴できる対象になる。低コストを作れるこの装置は、約テレビ買い替えの十五分の一に済む推算である。
【図１】
2013066138.tif 000003
【図２】
2013066138.tif 000004